(57)【要約】【課題】磁気カードやＩＣカードに情報を書き込むカードの発行において、カード供給部にカードのセット向きを間違った場合にも、正常な書き込みを行うためのカードの姿勢制御を、簡便に行い、情報の正常な書き込みを実施するカード発行装置を提供することを目的とする。【解決手段】カード供給部と、カード表裏反転機と、記録装置と、カード左右反転機と、カードの搬送を制御し、記録動作をチェックし、記録動作不良であれば、カード表裏動作、カード左右反転動作を行う制御部からなることを特徴とするカード発行装置。【選択図】図１
2018092520.tif 000002
【特許請求の範囲】
【請求項１】
情報書き込み装置へカードを供給し、情報書き込み動作を行うカード発行装置であって、
カード供給部と、
カードに情報を書き込む情報書き込み動作と、情報の書き込みチェックを行う情報書き込み装置と、
前カード供給部に挿入されたカードを、前記情報書き込み装置に供給するカード供給機構と、
カードの短辺方向を回転軸としてカードを１８０度回転するカード前後反転機と、
カードの長辺方向を回転軸としてカードを１８０度回転するカード天地反転機と、
前記カード供給部と、前記情報書き込み装置と、前記カード前後反転機と、前記カード天地反転機を連結して、カードを搬送する搬送機構と、
前記カード供給機構と前記搬送路でのカード搬送と前記情報書き込み装置の情報書き込み動作と情報書き込みチェックと前記カード前後反転機と前記カード天地反転機の制御を行う制御部から構成され、
前記制御部では、前記カード供給部に挿入されたカードを前記カード供給機構で前記情報書き込み装置に供給し、情報書き込み動作を行った後、情報書き込みチェックを行い、情報書き込み完了であれば終了し、情報書き込みが完了でなければ、情報書き込みが完了となるまで、カード前後反転機の動作のゼロないし１つまたは複数回数と、カード天地反転機の動作のゼロないし１つまたは複数回数の組み合わせと、情報書き込み動作、情報書き込みチェックを実施することを特徴とするカード発行装置。
【請求項２】
情報書き込み装置へカードを供給し、情報書き込み動作を行うカード発行方法であって、
カード供給部に挿入されたカードを、情報書き込み装置に供給するカード供給工程と、
カードに情報を書き込む情報書き込み工程と、
カードの情報の書き込みチェック工程と、
カードの短辺方向を回転軸としてカードを１８０度回転するカード前後反転工程と、
カードの長辺方向を回転軸としてカードを１８０度回転するカード天地反転工程と、
前記各工程間でカードが搬送されるカード搬送工程と、
を有し、
カード供給工程、情報書き込み工程、書き込みチェック工程を経て、情報書き込み完了であれば終了し、情報書き込みが完了でなければ、情報書き込みが完了となるまで、カード前後反転工程のゼロないし１つまたは複数回数と、カード天地反転工程のゼロないし１つまたは複数回数組み合わせと、情報書き込み工程、書き込みチェック工程を実施することを特徴とするカード発行方法。
【発明の詳細な説明】
【技術分野】
【０００１】
本発明は、磁気カードやＩＣカードなどのカードを発行するカード発行装置およびカード発行方法に関する。
【背景技術】
【０００２】
磁気カードやＩＣカードに情報を書き込むカードの発行において、カード供給部にカードの向きのセットを間違った場合に、カードの向きを修正して、情報を書き込み、発行可能にすることが望まれており、そこで、カードの姿勢を制御して、正規の位置にし、書き込み装置に送る装置が提案されている（特許文献１、２参照）。
【先行技術文献】
【特許文献】
【０００３】
【特許文献１】特開２０００−２２２６０８号公報
【特許文献１】特開２００６−３１４３２号公報
【発明の概要】
【発明が解決しようとする課題】
【０００４】
しかしながら、特許文献１、２で示されるにおいては、カードの向きをセンサで捉え、その情報により、カードの姿勢を制御するものであり、装置コストがかかっていた。また、カードの向きを捉えるセンサは、カードの種類に依存しており、カードの種類によらず、姿勢を制御することは困難であった。本発明では、磁気カードやＩＣカードに情報を書き込むカードの発行において、カード供給部にカードのセット向きを間違った場合にも、正常な書き込みを行うためのカードの姿勢制御を、簡便に行い、情報の正常な書き込みを実施するカード発行装置を提供することを目的とする。
【課題を解決するための手段】
【０００５】
本発明は上記課題を解決するためになされたもので、本発明の請求項１に係る発明は、情報書き込み装置へカードを供給し、情報書き込み動作を行うカード発行装置であって、カード供給部と、カードに情報を書き込む情報書き込み動作と、情報の書き込みチェックを行う情報書き込み装置と、前カード供給部に挿入されたカードを、前記情報書き込み装置に供給するカード供給機構と、カードの短辺方向を回転軸としてカードを１８０度回転するカード前後反転機と、カードの長辺方向を回転軸としてカードを１８０度回転するカード天地反転機と、前記カード供給部と、前記情報書き込み装置と、前記カード前後反転機と、前記カード天地反転機を連結して、カードを搬送する搬送機構と、前記カード供給機構と前記搬送路でのカード搬送と前記情報書き込み装置の情報書き込み動作と情報書き込みチェックと前記カード前後反転機と前記カード天地反転機の制御を行う制御部から構成され、前記制御部では、前記カード供給部に挿入されたカードを前記カード供給機構で前記情報書き込み装置に供給し、情報書き込み動作を行った後、情報書き込みチェックを行い、情報書き込み完了であれば終了し、情報書き込みが完了でなければ、情報書き込みが完了となるまで、カード前後反転機の動作のゼロないし１つまたは複数回数と、カード天地反転機の動作のゼロないし１つまたは複数回数の組み合わせと、情報書き込み動作、情報書き込みチェックを実施することを特徴とするカード発行装置である。
【０００６】
本発明の請求項２に係る発明は、情報書き込み装置へカードを供給し、情報書き込み動作を行うカード発行方法であって、カード供給部に挿入されたカードを、情報書き込み装置に供給するカード供給工程と、カードに情報を書き込む情報書き込み工程と、カードの情報の書き込みチェック工程と、カードの短辺方向を回転軸としてカードを１８０度回転
するカード前後反転工程と、カードの長辺方向を回転軸としてカードを１８０度回転するカード天地反転工程と、前記各工程間でカードが搬送されるカード搬送工程と、を有し、カード供給工程、情報書き込み工程、書き込みチェック工程を経て、情報書き込み完了であれば終了し、情報書き込みが完了でなければ、情報書き込みが完了となるまで、カード前後反転工程のゼロないし１つまたは複数回数と、カード天地反転工程のゼロないし１つまたは複数回数組み合わせと、情報書き込み工程、書き込みチェック工程を実施することを特徴とするカード発行方法である。
【発明の効果】
【０００７】
磁気カードやＩＣカードに情報を書き込むカードの発行において、カード供給部にカードのセット向きを間違った場合にも、正常な書き込みを行うためのカードの姿勢制御を、簡便に行い、情報の正常な書き込みを行うことができるカード発行装置を安価に提供できる。
【図面の簡単な説明】
【０００８】
【図１】図１は本発明のカード発行装置の１例の構造を示す概略図である。
【図２】図２は磁気カードを例にとって、カード供給部に置かれるカードの向く面を示す図である。（ａ）は表面前向きであり、（ｂ）は表面後ろ向きであり、（ｃ）は裏面後ろ向きであり、（ｄ）は裏面前向きの場合である。
【図３】図３は本発明のカード発行装置の１例の動作を示すフローチャート図である。
【発明を実施するための形態】
【０００９】
以下、本発明のカード発行装置について添付図面を参照して説明する。図１は本発明のカード発行装置の１例の構造を示す概略図である。
【００１０】
カード発行装置１００は、カード１を供給するカード供給部２０と、カード１に情報を書き込む情報書き込み動作と、情報の書き込みチェックを行う情報書き込み装置３０と、カード供給部２０に挿入されたカードを、情報書き込み装置３０に供給するカード供給機構２と、カードの短辺方向を回転軸としてカードを１８０度回転するカード前後反転機３と、カードの長辺方向を回転軸としてカードを１８０度回転するカード天地反転機４と、カード供給部２０と、情報書き込み装置３０と、カード前後反転機３と、カード天地反転機４を連結して、カードを搬送する搬送機構と、カード供給機構２と搬送機構でのカード搬送と情報書き込み装置３０の情報書き込み動作と情報書き込みチェックとカード前後反転機３とカード天地反転機４の制御を行う制御部（不図示）から構成される。
【００１１】
カード供給機構２では、カード供給部２０のカード１を移送し、カード前後反転機３の回転中心にカード長辺方向の中心がセットされ、９０度ａ方向に回転し、下方に移送し、情報書き込み装置３０に供給される。
【００１２】
ここで、カードの長方形の長辺方向において先方、後方を、前後とし、短辺方向において、上下を、天地とした。
【００１３】
磁気カードを例にとって、カード供給部２０にセットするときのカード１の取りうる姿勢を説明する。
【００１４】
図２は磁気カードを例にとって、図１のカード供給部２０の上方から見たときのカードの面を示す図である。（ａ）は表面前向きであり、（ｂ）は表面後ろ向きであり、（ｃ）は裏面後ろ向きであり、（ｄ）は裏面前向きの場合である。
【００１５】
磁気情報記録部４０を片面に持つ、磁気カードであるカード１であるが、表面は、磁気
情報部４０が露出する面とした。また、カードの長辺方向における前後も、図２のように決めた。
【００１６】
磁気リーダライタである情報書き込み装置３０において、磁気情報読み取り、書き込みの磁気ヘッドは、図１の情報書き込み装置３０の右紙面奥側にあるとすると、カード供給部２０においてカードの取り得るこれら４つの姿勢のうち１つの姿勢、図２（ａ）の姿勢で、セットした場合でしか、情報の書き込みができない。
【００１７】
制御部では、カード供給部２０に挿入されたカード１をカード供給機構２で情報書き込み装置３０に供給し、情報書き込み動作を行った後、情報書き込みチェックを行い、情報書き込み完了であれば終了し、情報書き込みが完了でなければ、情報書き込みが完了となるまで、カード前後反転機３の動作のゼロないし１つまたは複数回数と、カード天地反転機４の動作のゼロないし１つまたは複数回数の組み合わせと、情報書き込み動作、情報書き込みチェックを実施することを行う。
【００１８】
＜動作＞
図３は本発明のカード発行装置の１例の動作を示すフローチャート図である。
【００１９】
制御部で、以下の（Ｓ１）から（Ｓ１１）で示される動作で情報書き込み、書き込みチェック、カード姿勢変更を行う。
【００２０】
（Ｓ１）カード供給部２０に挿入されたカード１が、カード供給機構２によって、情報書き込み装置３０に送り出される。図１の例では、カード１がカード供給部２０でストックされており、カード供給機構２によって、カード前後反転機３の回転中心にカード長辺方向の中心がセットされ、カード前後反転機３は、回転中心の短辺方向を回転軸としてａ方向に９０度回転し、情報書き込み装置３０に送り出される。
【００２１】
（Ｓ２）情報書き込み装置３０に送り出されたカード１は、情報書き込み装置３０に挿入され、情報の書き込みが行われる。
【００２２】
（Ｓ３）情報書き込み装置３０の書き込みチェックによって、情報の書き込みが完了したかどうかチェックする。情報書き込み完了ならば、（Ｓ１１）へ、情報書き込みが完了していなければ（Ｓ４）へ。
【００２３】
（Ｓ４）カード供給機構２によって、情報書き込み装置３０から、カード１が、カード前後反転機３の回転中心にカード長辺方向のカード中心が戻され、回転中心の短辺方向を回転軸として９０度ｂ方向に回転する。そして、カード１の長辺方向中心の短辺方向にカード１を１８０度回転し、カード前後は反転する。そして、カード供給機構２によって、カード前後反転機３の回転中心にカード長辺方向の中心がセットされ、カード前後反転機３は、回転中心の短辺方向を回転軸としてａ方向に９０度回転し、カード１は情報書き込み装置３０に送り出され、情報書き込み装置３０に挿入され、情報の書き込みが行われる。
【００２４】
（Ｓ５）情報書き込み装置３０の書き込みチェックによって、情報の書き込みが完了したかどうかチェックする。情報書き込み完了ならば、（Ｓ１１）へ、情報書き込みが完了していなければ（Ｓ６）へ。
【００２５】
（Ｓ６）カード供給機構２によって、情報書き込み装置３０から、カード１が、カード前後反転機３の回転中心にカード長辺方向のカード中心が戻され、回転中心の短辺方向を回転軸として９０度ｂ方向に回転する。そして、搬送機構によって、カード１は、カード天地反転機４まで、移動する。短辺方向中心の長辺方向でカード１を１８０度回転し、カード天地は反転する。そして、搬送機構によって、カード１は、カード前後反転機３に戻り、カード前後反転機３の回転中心にカード長辺方向の中心がセットされ、カード前後反転機３は、回転中心の短辺方向を回転軸としてａ方向に９０度回転し、カード１は情報書き込み装置３０に送り出され、情報書き込み装置３０に挿入され、情報の書き込みが行われる。
【００２６】
（Ｓ７）情報書き込み装置３０の書き込みチェックによって、情報の書き込みが完了したかどうかチェックする。情報書き込み完了ならば、（Ｓ１１）へ、情報書き込みが完了していなければ（Ｓ８）へ。
【００２７】
（Ｓ８）カード供給機構２によって、情報書き込み装置３０から、カード１が、カード前後反転機３の回転中心にカード長辺方向のカード中心が戻され、回転中心の短辺方向を回転軸として９０度ｂ方向に回転する。そして、カード１の長辺方向中心の短辺方向にカード１を１８０度回転し、カード前後は反転する。そして、カード供給機構２によって、カード前後反転機３の回転中心にカード長辺方向の中心がセットされ、カード前後反転機３は、回転中心の短辺方向を回転軸としてａ方向に９０度回転し、カード１は情報書き込み装置３０に送り出され、情報書き込み装置３０に挿入され、情報の書き込みが行われる。
【００２８】
（Ｓ９）情報書き込み装置３０の書き込みチェックによって、情報の書き込みが完了したかどうかチェックする。情報書き込み完了ならば、（Ｓ１１）へ、情報書き込みが完了していなければ（Ｓ９）へ。
【００２９】
（Ｓ１０）情報書き込みエラーとして終了。
【００３０】
（Ｓ１１）情報書き込み完了として終了。
【００３１】
＜具体例＞
磁気カードを例にとって、カード１の置かれ方による動作について説明する。
【００３２】
図２（ａ）の場合、（Ｓ１）→（Ｓ２）→（Ｓ３）→（Ｓ１１）と進む動作となる。カード前後反転機３やカード天地反転機４を１回も動作させることなしに、書き込み完了となって終了する。
【００３３】
図２（ｂ）の場合、（Ｓ１）→（Ｓ２）→（Ｓ３）→（Ｓ４）→（Ｓ５）→（Ｓ６）→（Ｓ７）→（Ｓ１１）と進む動作となる。カード前後反転機３やカード天地反転機４を１回づつ動作させて、書き込み完了となって終了する。
【００３４】
図２（ｃ）の場合、（Ｓ１）→（Ｓ２）→（Ｓ３）→（Ｓ４）→（Ｓ５）→（Ｓ１１）のと進む動作となる。カード前後反転機３を１回動作させて、終了する。
【００３５】
図２（ｄ）の場合、（Ｓ１）→（Ｓ２）→（Ｓ３）→（Ｓ４）→（Ｓ５）→（Ｓ６）→（Ｓ７）→（Ｓ８）→（Ｓ９）→（Ｓ１１）と進む動作となる。カード前後反転機３の次にカード天地反転機４の次にカード前後反転機３を動作させて、書き込み完了となって終了する。
【００３６】
正常なカードではない場合は（Ｓ１）→（Ｓ２）→（Ｓ３）→（Ｓ４）→（Ｓ５）→（Ｓ６）→（Ｓ７）→（Ｓ８）→（Ｓ９）→（Ｓ１０）と進む動作となり、情報書き込みエラーで終了する。
【００３７】
以上のように、カード１がどの姿勢でセットされても、最初にセンサで検知しなくても、情報書き込み装置３０の書き込み動作の後の、書き込みチェック動作に応じて、カード前後反転機３やカード天地反転機４を動作させることによって、カードの姿勢を情報が書き込める位置にし、書き込みを完了させることができる装置や方法を提供できるようになった。
【００３８】
ＩＣカードを対象とした発行の場合においても同様の装置で、情報書き込みが可能な装置や方法を提供できる。
【００３９】
また、非接触ＩＣカードを対象にした発行の場合において、同様の装置を構成した場合、、カード供給部に正しくセットされている場合でも、通信特性のバラツキにより、情報書き込みのエラーが発生することがあるが、カードの姿勢を変えて、情報書き込みをリトライできるので、カードへの情報書き込みの成功度が増す。従って、非接触ＩＣカードへの情報書き込み不良の発生を減少させることができる装置や方法を提供できる。
【符号の説明】
【００４０】
１・・・カード
２・・・カード供給機構
３・・・カード前後反転機
４・・・カード天地反転機
２０・・・カード供給部
３０・・・情報書き込み装置（磁気リーダライタ、ＩＣリーダライタ）
４０・・・磁気情報記録部
１００・・・カード発行装置
【図１】
2018092520.tif 000003
【図２】
2018092520.tif 000004
【図３】
2018092520.tif 000005